(57)【要約】      （修正有）【課題】蓋を開ける時に、蓋の回動速度を徐々に低下させることで、耐久性を向上させることが可能な構造を有する薄葉紙ディスペンサーを提供することを目的とする。【解決手段】本体部２および蓋部３を備え、前記本体部２は２つの側面８に設けられた円形のヒンジ孔を有し、前記側面８の外側の面には前記ヒンジ孔の円周の一部分に沿って円弧状に延伸された傾斜面が設けられ、前記傾斜面は、円弧の始点から終点に向かって前記側面８から離れるように傾斜されており、前記蓋部３は、２つの側面８の内側の面にヒンジ軸を備え、前記ヒンジ軸の外周面に１つの突起が設けられ、前記本体部の開口を開く方向への前記蓋部３の回動によって、前記ヒンジ軸の突起が前記傾斜面の始点と当接し、その後、前記傾斜面の表面と接触しながら前記傾斜面の終点に向かって移動する。【選択図】図１
2018020817.tif 000002
【特許請求の範囲】
【請求項１】
薄葉紙を収容する本体部、および前記本体部の開口を開閉可能に取り付けられた蓋部を備える薄葉紙ディスペンサーであって、
前記本体部は、前面、背面、上面、底面、および２つの側面から構成され、少なくとも前記前面又は前記上面に位置する開口、前記底面に設けられた、薄葉紙を下方に取り出すための取出し口、および、２つの前記側面に設けられた円形のヒンジ孔を有し、前記側面の外側の面には前記ヒンジ孔の円周の一部分に沿って円弧状に延伸された傾斜面が設けられ、前記傾斜面は、円弧の始点から終点に向かって前記側面から離れるように傾斜されており、
前記蓋部は、前面、および２つの側面を備え、２つの前記側面の内側の面に前記ヒンジ孔に係合されるヒンジ軸を有し、前記ヒンジ軸の外周面に１つの突起が設けられ、前記突起は、前記ヒンジ軸が前記ヒンジ孔に係合された時に前記本体部の側面の外側に位置しており、
前記蓋部を前記ヒンジ軸を中心に前記本体部に対して回動させることにより、前記本体部の開口を開閉可能とし、前記本体部の開口を開く方向への前記蓋部の回動によって、前記ヒンジ軸の突起が前記傾斜面の始点と当接し、その後、前記傾斜面の表面と接触しながら前記傾斜面の終点に向かって移動することを特徴とする薄葉紙ディスペンサー。
【請求項２】
薄葉紙を収容する本体部、および前記本体部の開口を開閉可能に取り付けられた蓋部を備える薄葉紙ディスペンサーであって、
前記本体部は、前面、背面、上面、底面、および２つの側面から構成され、少なくとも前記前面又は前記上面に位置する開口、前記底面に設けられた、薄葉紙を下方に取り出すための取出し口、および、２つの前記側面に設けられた円形のヒンジ孔を有し、前記側面の外側の面には前記ヒンジ孔の円周に接して１つの突起が設けられ、
前記蓋部は、前面、および２つの側面を備え、２つの前記側面の内側の面に前記ヒンジ孔に係合されるヒンジ軸を有し、前記側面の内側の面には前記ヒンジ軸の円周の一部分に沿って円弧状に延伸された傾斜面が設けられ、前記傾斜面は、円弧の始点から終点に向かって前記蓋部の側面から離れるように傾斜されており、
前記蓋部を前記ヒンジ軸を中心に前記本体部に対して回動させることにより、前記本体部の開口を開閉可能とし、前記本体部の開口を開く方向への前記蓋部の回動によって、前記本体部の突起が前記蓋部の傾斜面の始点と当接し、その後、前記傾斜面の表面と接触しながら前記傾斜面の終点に向かって移動することを特徴とする薄葉紙ディスペンサー。
【請求項３】
前記傾斜面の終点に凸部が設けられていることを特徴とする請求項１または２に記載の薄葉紙ディスペンサー。
【請求項４】
前記本体部の前面の外側の面に第１の凸部が設けられ、前記蓋部の前面の内側の面に第２の凸部が設けられており、
前記蓋部を、前記本体部の開口を開くように回動させると、前記蓋部の第２の凸部が、前記本体部の第１の凸部と当接して、前記蓋部の回動が停止され、その後、前記蓋部にさらに力を加えて回動させると、前記本体部の第１の凸部または前記蓋部の第２の凸部が弾性変形して、前記蓋部の第２の凸部が前記本体部の第１の凸部を乗り越えて、前記本体部の開口が開くことを特徴とする請求項１〜３のいずれか１項に記載の薄葉紙ディスペンサー。
【請求項５】
前記本体部の第１の凸部の周囲は一部を残して前記本体部から切り欠かれていることにより、前記第１の凸部は前記本体部に対して弾性変形可能であることを特徴とする請求項４に記載の薄葉紙ディスペンサー。
【請求項６】
前記蓋部の第２の凸部の周囲は一部を残して前記蓋部から切り欠かれていることにより、前記第２の凸部は前記蓋部に対して弾性変形可能であることを特徴とする請求項４に記載の薄葉紙ディスペンサー。
【請求項７】
前記本体部の底面の取出し口が十字形状であり、十字の一部が前記本体部の前面へと延びていることを特徴とする請求項１〜６のいずれか１項に記載の薄葉紙ディスペンサー。
【請求項８】
前記本体部の背面が着脱可能であることを特徴とする請求項１〜７のいずれか１項に記載の薄葉紙ディスペンサー。
【請求項９】
前記本体部の側面に、垂直方向に延伸するスリットが設けられていることを特徴とする請求項１〜８のいずれか１項に記載の薄葉紙ディスペンサー。
【発明の詳細な説明】
【技術分野】
【０００１】
本発明は、ペーパータオル等の薄葉紙を積層した状態で収容し、底面から薄葉紙を取り出して使用する薄葉紙ディスペンサーに関する。
【背景技術】
【０００２】
ペーパータオル等の薄葉紙を積層した状態で収容し、底面に設けられた取出し口から薄葉紙を下方に引き出して使用する薄葉紙ディスペンサー（特許文献１〜３参照）が、店舗のトイレ、キッチン等に多数設置されている。特許文献１〜３に記載の薄葉紙ディスペンサーは、薄葉紙を収容する本体、および、薄葉紙が無くなった時に薄葉紙を補充するために、開閉可能な蓋を備えており、薄葉紙が無くなると、蓋を開けて新たな薄葉紙を補充することができる。
【０００３】
薄葉紙ディスペンサーの蓋には様々な構造（例えば、薄葉紙ディスペンサーの上面を開口とし、開口を閉じる蓋を着脱可能に取り付ける構造）を用いることができるが、特許文献１〜３には、前面から上面に渡る開口を有する本体に蓋をヒンジ係合させ、前記蓋をヒンジ軸を中心に回動させることで、薄葉紙ディスペンサーを開閉する構造が用いられている。特許文献１〜３に記載の薄葉紙ディスペンサーを開けるためには、蓋と本体との係合を解除し、蓋の上方を手前に引いて下方に回動させる動作を行うことになる。
【先行技術文献】
【特許文献】
【０００４】
【特許文献１】特開２００９−２９５１１号公報
【特許文献２】特開２０１２−２０７７８号公報
【特許文献３】特開２０１２−７６８２６号公報
【発明の概要】
【発明が解決しようとする課題】
【０００５】
特許文献１〜３に記載されている薄葉紙ディスペンサーは、蓋を下方へと回動させて薄葉紙ディスペンサーを開ける動作を行うためには、初めに蓋と本体との係合を解除するために蓋に力を加えるが、蓋と本体との係合を解除し、少し蓋を下方に回動させると、蓋は自重で下方へと回動しようとする。そのため、蓋から手を離すと、蓋は自重で下方へと勢いよく回動し、蓋が本体と衝突することで蓋の回動が停止されることになる。
【０００６】
このように薄葉紙ディスペンサーを開ける際に、蓋と本体との衝突を繰り返していると、薄葉紙ディスペンサーが破損する、あるいは、耐久性が低下するという問題が生じる。これらの問題を解消するためには、従来の薄葉紙ディスペンサーでは、薄葉紙ディスペンサーを開ける際に、最後まで蓋を手で支える、あるいは、衝突する箇所に緩衝部材を設ける必要があった。
【０００７】
そこで、本発明は、蓋を開ける時に、蓋の回動速度を低下させる構造を用いることで、蓋と本体との衝突を低減し、耐久性を向上させることが可能な薄葉紙ディスペンサーを提供することを目的とする。
【課題を解決するための手段】
【０００８】
本発明の薄葉紙ディスペンサーは、薄葉紙を収容する本体部、および前記本体部の開口を開閉可能に取り付けられた蓋部を備え、前記本体部は、前面、背面、上面、底面、および２つの側面から構成され、少なくとも前記前面又は前記上面に位置する開口、前記底面に設けられた、薄葉紙を下方に取り出すための取出し口、および、２つの前記側面に設けられた円形のヒンジ孔を有し、前記側面の外側の面には前記ヒンジ孔の円周の一部分に沿って円弧状に延伸された傾斜面が設けられ、前記傾斜面は、円弧の始点から終点に向かって前記側面から離れるように傾斜されており、前記蓋部は、前面、および２つの側面を備え、２つの前記側面の内側の面に前記ヒンジ孔に係合されるヒンジ軸を有し、前記ヒンジ軸の外周面に１つの突起が設けられ、前記突起は、前記ヒンジ軸が前記ヒンジ孔に係合された時に前記本体部の側面の外側に位置しており、前記蓋部を前記ヒンジ軸を中心に前記本体部に対して回動させることにより、前記本体部の開口を開閉可能とし、前記本体部の開口を開く方向への前記蓋部の回動によって、前記ヒンジ軸の突起が前記傾斜面の始点と当接し、その後、前記傾斜面の表面と接触しながら前記傾斜面の終点に向かって移動することを特徴とし、前記本体部の突起と、前記蓋部の傾斜面の構成を入れ替えることも可能である。
【０００９】
前記本体部の前面の外側の面に第１の凸部が設けられ、前記蓋部の前面の内側の面に第２の凸部が設けられており、前記蓋部を、前記本体部の開口を開くように回動させると、前記蓋部の第２の凸部が、前記本体部の第１の凸部と当接して、前記蓋部の回動が停止され、その後、前記蓋部にさらに力を加えて回動させると、前記本体部の第１の凸部または前記蓋部の第２の凸部が弾性変形して、前記蓋部の第２の凸部が前記本体部の第１の凸部を乗り越えて、前記本体部の開口が開いた状態となる。
【００１０】
前記本体部の第１の凸部の周囲は一部を残して前記本体部から切り欠かれていることにより、前記第１の凸部を前記本体部に対して弾性変形可能とする、あるいは、前記蓋部の第２の凸部の周囲は一部を残して前記蓋部から切り欠かれていることにより、前記第２の凸部を前記蓋部に対して弾性変形可能とする。
【００１１】
前記本体部の底面の取出し口を十字形状として、十字の一部が前記本体部の前面へと延びており、また、前記本体部の背面を着脱可能とすることもでき、さらに、前記本体部の側面に、垂直方向に延伸するスリットを設けることもできる。
【発明の効果】
【００１２】
本発明の薄葉紙ディスペンサーは、薄葉紙を収容する本体部、および前記本体部の開口を開閉可能に取り付けられた蓋部を備え、前記本体部は、２つの側面に設けられた円形のヒンジ孔を有し、前記側面の外側の面には前記ヒンジ孔の円周の一部分に沿って円弧状に延伸された傾斜面が設けられ、前記傾斜面は、円弧の始点から終点に向かって前記側面から離れるように傾斜されており、前記蓋部は、２つの側面の内側の面に前記ヒンジ孔に係合されるヒンジ軸を有し、前記ヒンジ軸の外周面に１つの突起が設けられ、前記突起は、前記ヒンジ軸が前記ヒンジ孔に係合された時に前記本体部の側面の外側に位置しており、前記本体部の開口を開く方向への前記蓋部の回動によって、前記ヒンジ軸の突起が前記傾斜面の始点と当接し、その後、前記傾斜面の表面と接触しながら前記傾斜面の終点に向かって移動することにより、前記蓋部を開いて、前記蓋部が自重で回動した時に、前記蓋部の回動スピードが徐々に低下し、前記蓋部が前記本体部に衝突する衝撃を低減し、前記蓋部または前記本体部が破損するのを防止することが可能となる。本発明のこのような効果は、前記本体部の突起と、前記蓋部の傾斜面の構成を入れ替えた時にも、同様に奏することができる。
【００１３】
また、本発明の薄葉紙ディスペンサーは、前記蓋部を、前記本体部の開口を開くように回動させると、前記蓋部の第２の凸部が、前記本体部の第１の凸部と当接して、前記蓋部の回動が停止され、その後、前記蓋部にさらに力を加えて回動させると、前記本体部の第１の凸部または前記蓋部の第２の凸部が弾性変形して、前記蓋部の第２の凸部が前記本体部の第１の凸部を乗り越えて、前記本体部の開口が開いた状態となることにより、前記蓋部を開く動作の途中で停止することができるので前記蓋部を全開しないで、前記本体部内の状態を確認することができるようになる。また、前記蓋部を開く途中で一時停止させた後に、前記突起と前記傾斜面との接触が生じることになるので、前記蓋部の回動スピードを大幅に低下させることができ、前記蓋部または前記本体部の破損を確実に防止することが可能となる。
【００１４】
前記本体部の底面の取出し口が十字形状であり、十字の一部が前記本体部の前面へと延びていることにより、薄葉紙の取り出し動作がスムーズになる。また、前記本体部の側面に、垂直方向に延伸するスリットを設けることにより、前記蓋部を開けることなく薄葉紙の残量を確認することができるようになる。
【図面の簡単な説明】
【００１５】
【図１】第１の実施形態の薄葉紙ディスペンサーの斜視図である。
【図２】第１の実施形態の薄葉紙ディスペンサーの下方からの斜視図である。
【図３】第１の実施形態の薄葉紙ディスペンサーの本体部の斜視図である。
【図４】本体部から取り外した背面部の斜視図である。
【図５】背面部を取り外した状態の本体部の斜視図である。
【図６】本体部の正面図である。
【図７】第１の実施形態の薄葉紙ディスペンサーの蓋部の斜視図である。
【図８】蓋部を閉じた状態の第１の実施形態の薄葉紙ディスペンサーの断面図である。
【図９】第１の凸部と第２の凸部が当接し、蓋部が一時停止された状態の第１の実施形態の薄葉紙ディスペンサーの断面図である。
【図１０】第１の凸部と第２の凸部が当接し、第１の凸部が弾性変形した状態の第１の実施形態の薄葉紙ディスペンサーの断面図である。
【図１１】突起が傾斜面上を移動中の第１の実施形態の薄葉紙ディスペンサーの断面図である。
【図１２】蓋部が完全に開いた状態の第１の実施形態の薄葉紙ディスペンサーの断面図である。
【図１３】第２の実施形態の薄葉紙ディスペンサーの斜視図である。
【図１４】第２の実施形態の薄葉紙ディスペンサーの本体部の斜視図である。
【図１５】第２の実施形態の薄葉紙ディスペンサーの蓋部の斜視図である。
【図１６】蓋部を閉じた状態の第２の実施形態の薄葉紙ディスペンサーの断面図である。
【図１７】第１の凸部と第２の凸部が当接し、蓋部が一時停止された状態の第２の実施形態の薄葉紙ディスペンサーの断面図である。
【図１８】第１の凸部と第２の凸部が当接し、第２の凸部が弾性変形した状態の第２の実施形態の薄葉紙ディスペンサーの断面図である。
【図１９】突起が傾斜面上を移動中の第２の実施形態の薄葉紙ディスペンサーの断面図である。
【図２０】蓋部が完全に開いた状態の第２の実施形態の薄葉紙ディスペンサーの断面図である。
【発明を実施するための形態】
【００１６】
本発明の第１の実施形態の薄葉紙ディスペンサー１について図を用いて以下に詳細に説明する。図１，２が薄葉紙ディスペンサー１の斜視図であり、図２〜７が薄葉紙ディスペンサー１の本体部２および蓋部３の各図である。
【００１７】
本発明の薄葉紙ディスペンサー１は、図１，２に示すように、ペーパータオル等の薄葉紙を積層した状態で内部に収容する本体部２、および前記本体部２の開口９（図示せず）を開閉可能に、前記本体部２に取り付けられた蓋部３を備え、前記本体部２の底面の取出し口１０から薄葉紙を下方に引き出して使用するものであり、店舗のトイレ、キッチン等の壁に取り付けて使用される。
【００１８】
前記本体部２は、図３に示すように、前面４、背面５、上面６、底面７、および２つの略Ｌ字状の側面８から構成され、前記前面４から前記上面６および２つの前記側面８に亘る開口９が設けられており、前記開口９から前記本体部２内に薄葉紙がセットされる。前記開口９の形状は限定するものではなく、前記前面４の上方だけに位置する形態、または、前記上面６の前方だけに位置する形態、前記側面８を矩形とし、前記前面４の上端から前記上面６の前端に亘る形態等も可能である。
【００１９】
前記本体部２は、図２に示すように、前記底面７に、薄葉紙を下方に引き出すための略十字形状の取出し口１０が設けられている。前記取出し口１０は、薄葉紙を取り出し易くするために、図６に示すように、前記取出し口１０の十字形状の一部を前記底面７から前記前面４へと延伸させており、前記本体部２を正面から見た時に前記前面４へと延伸している部分を見ることができる。前記取出し口１０の前記前面４へと延伸している部分には、薄葉紙の縁が露出されることになるので、薄葉紙の縁に指を掛けて取り出すことも可能となる。
【００２０】
前記本体部２は、２つの前記側面８のそれぞれに、図３に示すように、円形のヒンジ孔１１が対向するように貫通孔として設けられている。そして、図３に示すように、２つの前記側面８の外側の面には、前記ヒンジ孔１１の円周の下側の一部分に沿って所定の幅を有する円弧状の傾斜面１２が設けられている。
【００２１】
前記傾斜面１２は、前記ヒンジ孔１１の中心から前記前面４に向かう水平線に対して円周に沿って下方に１５度進んだ場所に位置する始点から、前記ヒンジ孔１１の中心から前記背面５に向かう水平線に対して円周に沿って下方に５０度進んだ場所に位置する終点に向かって、前記側面８から離れるように傾斜しながら延伸されており、前記傾斜面１２において終点が前記側面８から最も離れた状態となっている。そして、前記傾斜面１２の終点には外側へと突出する凸部１３が設けられている。
【００２２】
前記本体部２の側面８の内側の面には、図５に示すように、前記ヒンジ孔１１の円周に沿って内側へと突出する円筒部１７が設けられている。前記円筒部１７は、前記ヒンジ孔１１にヒンジ係合されるヒンジ軸３４（後述する）とのヒンジ係合時の強度を確保するための部材であり、必要に応じて適宜設けることができる。また、前記ヒンジ孔１１は貫通孔ではなく、前記側面８の外側の面に設けた平面形状が円形の凹部を用いることも可能である。
【００２３】
前記本体部２の側面８には、図３に示すように、垂直方向に延伸するスリット１５が設けられている。前記スリット１５は、前記薄葉紙ディスペンサー１の内部に収容されている薄葉紙の残量を確認するためのものであり、前記スリット１５を設けることで、前記蓋部３を開けることなく、簡単に薄葉紙の残量を確認することができる。
【００２４】
前記本体部２は、前記前面４の外側の面に、図３に示すように、前方へと突出する２つの第１の凸部１４が設けられている。前記第１の凸部１４は、図６に示すように、正面視が略矩形を有しており、矩形の底辺および両側辺が、前記本体部２から正面視が略Ｕ字状に切り欠かれており、上辺だけが前記本体部２と接続した状態で前記本体部２と一体に形成されている。これにより、前記第１の凸部１４は、前記本体部２と接続された部分を支点として弾性変形可能な構造を有している。
【００２５】
前記第１の凸部１４は、その個数、形状、および、弾性変形可能な構造については特に限定するものではなく、適宜変更可能である。個数については、少なくとも１つ設ければよく、弾性変形可能な構造については、例えば、ゴム等の弾性材料で形成し、前記本体部２に別部材として取り付けることも可能である。
【００２６】
前記本体部２は、図３に示すように、前記上面６の前方の部分に下方に窪んだ凹部１６が設けられている。前記凹部１６は、前記蓋部３を前記本体部２に固定するために用いる部材であり、図７に示す、前記蓋部３のフック３７が着脱可能に係合される。
【００２７】
前記本体部２の背面５は、着脱可能な背面部２５に設けることができる。図４に示すのが、前記本体部２から取り外した状態の前記背面部２５であり、図５に示すのが、前記背面部２５を取り外した状態の前記本体部２である。前記本体部２は、図５に示すように、前記前面４、前記上面６、前記底面７、および２つの前記側面８を一体形成し、前記背面５の部分を開口とし、前記開口に前記背面部２５を着脱可能に取り付ける構造とする。前記背面部２５は、図４に示すように、前記背面５の周囲に、前記本体部２の内側に向かって突出する筒状の嵌合部１８を設ける。
【００２８】
前記背面部２５の嵌合部１８は、前記本体部２の開口に挿入した時に、前記上面６、前記底面７、および、２つの前記側面８の内側の面と当接する大きさ及び形状とし、複数の係合開口１９を設ける。そして、前記本体部２の上面６、底面７、および２つの側面８の内側の面には、図５に示すように、前記係合開口１９と係合する係合突起２０を設けておき、前記係合開口１９と前記係合突起２０との係合によって、前記背面部２５は、前記本体部２に着脱可能な構造となる。
【００２９】
前記背面部２５を前記本体部２に取り付けた状態では、前記背面部２５の嵌合部１８の底面は、前記本体部２の底面７の上に重なり、前記底面７に設けた取出し口１０を塞ぐことになるために、図４に示すように、前記取出し口１０に重なる部分に切り欠き２２を設けておく。
【００３０】
前記本体部２内に薄葉紙を積層した状態で収容しているが、この時、前記薄葉紙を前記取出し口１０から取り出し易くするために、前記本体部２の内側の面に、前記薄葉紙の中央を下方へと撓ませるための複数のリブ２３（図示せず）を設ける。前記薄葉紙ディスペンサー１は、前記リブ２３を、前記背面部２５の嵌合部１８の内側の面、および、前記本体部２の前面４に設けているが、前記背面部２５を設けない場合には、前記底面７、２つの前記側面８、および前記前面４の内側の面に設ける。前記リブ２３は、下方に向かって突出量が増加する形状としており、これにより、積層された薄葉紙は、中央が下方へと撓むことになり、一番下に位置する薄葉紙の中央の部分は、前記取出し口１０の中央付近で下方へ撓むことになり、薄葉紙を取り出し易くなる。
【００３１】
前記蓋部３は、図７に示すように、前面３１、上面３２、および２つの側面３３から構成され、２つの前記側面３３の内側の面に前記本体部２のヒンジ孔１１に係合されるヒンジ軸３４を備えている。前記蓋部３は、前記ヒンジ軸３４を前記本体部２のヒンジ孔１１に係合させることにより、前記本体部２に回動可能に取り付けられ、前記蓋部３を回動させることによって、前記本体部２の開口９を開閉することができる。
【００３２】
前記蓋部３のヒンジ軸３４は、前記本体部２のヒンジ孔１１に挿入され、前記ヒンジ孔１１の円周に沿って設けられた前記円筒部１７に挿入可能な大きさに形成されており、前記ヒンジ孔１１および前記円筒部１７内で回転可能にヒンジ係合される。前記蓋部３は、図７に示すように、前記ヒンジ軸３４の外周面に１つの突起３５を設けている。前記突起３５は、前記ヒンジ軸３４の中心から前記前面３１へと延びる水平線上に配置されており、その大きさは、前記ヒンジ軸３４の全長に亘って形成されているのではなく、前記ヒンジ軸３４の根元から途中までの大きさに形成されている。これにより、前記突起３５は、前記ヒンジ軸３４を前記ヒンジ孔１１に挿入して係合させた時、前記本体部２の側面８の外側に位置し、さらに、前記蓋部３によって前記本体部２の開口９を閉じた時に、図８の断面図に点線で示すように、前記本体部２の傾斜面１２とは当接しない位置に配置されることになる。
【００３３】
前記蓋部３のヒンジ軸３４の突起３５は、前記本体部２の開口９を開くように前記蓋部３を回動させると、前記本体部２のヒンジ孔１１の円周に沿って移動し、前記傾斜面１２の始点と当接する。その後、図１０〜１２に点線で示すように、前記突起３５は前記傾斜面１２の表面と接触しながら前記傾斜面１２の終点に向かって移動することになる。
【００３４】
前記蓋部３の前面３１の内側の面には、図７に示すように、水平方向に突出する２つの第２の凸部３６を設けている。前記第２の凸部３６は、図８に示すように、前記蓋部３を閉じた時に、前記本体部２の前面４に接触する程度の突出量であり、前記前面４に設けられた前記第１の凸部１４の上方に位置するようにそれぞれ配置されている。
【００３５】
前記第２の凸部３６は、前記蓋部３を、前記本体部２の開口９を開くように回動させると、図９に示すように、前記本体部２の第１の凸部１４と当接することになる。これにより、前記蓋部３の回動は一時的に停止される。この時、図９に示すように、前記開口９が少し開いた状態となることから、前記薄葉紙ディスペンサー１の中を見ることができるので、前記蓋部３を全開することなく、薄葉紙の残量等を確認することも可能である。
【００３６】
前記蓋部３の第２の凸部３６が前記本体部２の第１の凸部１４と当接した状態から、前記蓋部３にさらに力を加えて前記開口９を開くように回動させると、前記本体部の第１の凸部１４が弾性変形して、図１０に矢印で示すように、前記本体部２の内側へと移動することにより、前記蓋部３の第２の凸部３６が前記第１の凸部１４を乗り越えることができ、前記蓋部３を全開状態へと回動させることができる。本実施形態では、前記本体部２の第１の凸部１４を弾性可能な構造としているが、前記蓋部３の第２の凸部３６を弾性可能な構造とすることも可能である。
【００３７】
前記蓋部３は、図７に示すように、前記上面３２にフック３７を設けており、図８に示すように、前記フック３７を前記本体部２の上面６の凹部１６に引っ掛けて係合させることで、前記蓋部３を閉じた状態で前記本体部２に固定することができる。前記フック３７と前記凹部１６の係合は、この形態に限定するものではなく、他の着脱可能な係合手段を用いることも可能である。
【００３８】
本発明の薄葉紙ディスペンサー１は、前記本体部２を壁などに固定し、内部に薄葉紙を積層した状態で収容する。この時、図８に示すように、前記蓋部３のフック３７を前記本体部２の凹部１６に係合させることで、前記蓋部３は前記本体部２の開口９を閉じた状態で前記本体部２に固定され、薄葉紙ディスペンサー１は使用できる状態となり、使用者は前記取出し口１０から薄葉紙を取り出して使用することができる。
【００３９】
本発明の薄葉紙ディスペンサー１の蓋部３を回動させた時に生じる各部材の動作について図８〜図１２を用いて詳しく説明する。前記本体部２の開口９を開けるためには、まず図８に示す状態の薄葉紙ディスペンサー１における前記蓋部３のフック３７と前記本体部２の凹部１６との係合を解除すると、前記蓋部３は自重によって下方へと回動する。
【００４０】
前記蓋部３の回動により、図９に示すように、前記第２の凸部３６は、前記本体部２の第１の凸部１４の上端と当接し、前記蓋部３の回動が一時的に停止される。この時、前記本体部２の開口９は少し開いた状態となり、前記薄葉紙ディスペンサー１の中の状態を確認することができるようになる。このような前記蓋部３の回動が行われると、前記ヒンジ軸３４の突起３５も共に回動しているが、前記突起３５は前記本体部２の側面８の外側の面８に沿って移動しており、まだ前記傾斜面１２とは当接していない。
【００４１】
前記蓋部３の一時停止を解除するために、前記蓋部３に力を加えて回動させると、前記第１の凸部１４が、図１０の矢印の方向へと弾性変形されることにより、前記第２の凸部３６は前記第１の凸部１４と当接しながら、乗り越えるように移動することになる。この時、前記ヒンジ軸３４の突起３５は、前記傾斜面１２の始点に到達し、その後、前記傾斜面１２の表面と接触しながら前記傾斜面１２の終点に向かって移動することになる。
【００４２】
図１１に示すように、前記第２の凸部３６が前記第１の凸部１４を乗り越えると、前記第１の凸部１４の弾性変形は解除されて元の状態に戻る。その後、前記蓋部３は力を加えなくても自重によって回動することになる。この時、前記突起３５は前記傾斜面１２の表面と接触しながら移動しているが、前記突起３５は、回動するだけではなく、前記傾斜面１２によって外側へと力が加えられて前記本体部２の側面８から離れる方向へ移動することになり、前記蓋部３の２つの側面３３が外側へと膨らむように変形する。
【００４３】
つまり、図１０から図１２へと、前記蓋部３の突起３５が前記本体部２の傾斜面１２に沿って移動している時に、前記蓋部３を回動させている力は、前記突起３５を介して前記蓋部３の側面３３を外側へと変形させる力に徐々に変換され、同時に、前記突起３５と前記傾斜面１２との摩擦力に変換されることになり、その結果、前記蓋部３の回動速度は徐々に低下される。そして、図１２に示すように、前記蓋部３の前面３１の下端が、前記本体部２の底面７と当接して、前記蓋部３の回動が停止される時には、前記蓋部３の回動速度は、大幅に減速されており、前記蓋部３と前記本体部２との衝突による衝撃は大幅に低減されることになる。
【００４４】
以上のように、本発明の薄葉紙ディスペンサー１は、前記蓋部３を開く際に、前記蓋部３の第２の凸部３６が前記本体部２の第１の凸部１４と当接して前記蓋部３の回動を一時停止させること、そして、前記蓋部３のヒンジ軸３４の突起３５と前記本体部２の傾斜面１２とが当接して前記蓋部３の回動速度を減速させることによって、前記蓋部３と前記本体部２との衝突による衝撃を大幅に低減し、耐久性を向上させることが可能となる。この効果は、前記蓋部３の第２の凸部３６が前記本体部２の第１の凸部１４と当接して一時停止される構造と組み合わせない場合でも、十分に奏することが可能である。
【００４５】
前記本体部２の傾斜面１２および前記蓋部３のヒンジ軸３４の突起３５の位置は、前記蓋部３の第２の凸部３６と前記本体部２の第１の凸部１４とが当接する時、および、前記蓋部３の前面３１の下端が、前記本体部２の底面７と当接する時を基準に設定する。前記傾斜面１２の始点の位置は、前記蓋部３の第２の凸部３６が前記本体部２の第１の凸部１４と当接した後に、前記突起３５が始点に到達する位置に設定し、前記傾斜面１２の終点は、前記蓋部３の前面３１の下端が、前記本体部２の底面７と当接する付近で、前記突起３５が終点に到達する位置に設定すればよく、前記突起３５の位置と合わせて適宜変更可能であり、本実施形態に記載している位置に限定するものではない。そして、前記傾斜面１２の大きさ、傾斜角度についても適宜変更可能であり、それに伴い、前記蓋部３の回動速度の低下の度合いを調整することもできる。そして、前記傾斜面１２の表面に加工（例えば、表面に凹凸を設ける加工等）を施すことにより、前記突起３５に対する抵抗を増加させることも可能である。
【００４６】
本発明の薄葉紙ディスペンサー１は、前記本体部２の傾斜面１２と、前記蓋部３の突起３５を入れ替えて配置することも可能であることから、前記本体部２に突起を設け、前記蓋部３に傾斜面を設けた実施形態である、第２の実施形態の薄葉紙ディスペンサー１’について以下に説明する。第２の実施形態では、前記本体部２の第１の凸部１４ではなく、前記蓋部３の第２の凸部３６を弾性変形可能な構造とした場合についても同時に説明する。各部材の符号については、第１の実施形態と異なる一部の部材については新たな符号を用いて説明し、他の部材については第１の実施形態と同じ符号を用いて説明し、詳細な説明は省略する。
【００４７】
第２の実施形態の薄葉紙ディスペンサー１’は、図１３に示すように、本体部２’、および、前記本体部２’に取り付けられた蓋部３’を備える。図１４に示すように、前記本体部２’の２つの側面８にはヒンジ孔１１が設けられており、前記側面８の外側の面には、前記ヒンジ孔１１の中心から前記前面４へと延びる水平線上に、前記ヒンジ孔１１の円周に接して突起４１が配置されている。
【００４８】
前記本体部２’は、前面４の外側の面の下側に、図１４に示すように、前方へと突出する２つの第１の凸部４２が設けられており、前記第１の凸部４２は前記本体部２の前面４と一体に形成され、特に弾性変形可能な構造とはしていない。
【００４９】
前記蓋部３’は、図１５に示すように、２つの側面３３の内側の面に、前記本体部２’のヒンジ孔１１に係合されるヒンジ軸３４を備えている。そして、前記蓋部３’は、２つの前記側面３３の内側の面に、前記ヒンジ軸３４の外周の上側の一部分に沿って所定の幅を有する円弧状の傾斜面４３が設けられている。
【００５０】
前記傾斜面４３は、前記ヒンジ軸３４の中心から前記蓋部３の前面３１に向かう水平線に対して外周に沿って上方に１５度進んだ場所に位置する始点から、前記ヒンジ軸３４の中心から前記本体部２’の背面５に向かう水平線に対して外周に沿って上方に５０度進んだ場所に位置する終点に向かって、前記側面３３から離れるように傾斜しながら延伸されており、前記傾斜面４３において終点が前記側面３３から最も離れた状態となっている。そして、前記傾斜面４３の終点には内側へと突出する凸部４４が設けられている。
【００５１】
前記蓋部３’の前面３１の内側の面に水平方向に突出する２つの第２の凸部４５を設けている。前記第２の凸部４５は、図１６に示すように、前記蓋部３’を閉じた時に、前記本体部２’の前面４に接触する程度の突出量であり、前記前面４に設けられた２つの前記第１の凸部４２の上方に位置するようにそれぞれ配置されている。そして、前記第２の凸部４５の周囲には、図１３に示すように、正面視が略Ｕ字状の切り欠きが設けられており、つまり、矩形の底辺および両側辺が、前記蓋部３’から切り欠かれており、上辺だけが前記蓋部３’と接続した状態で前記蓋部３’と一体に形成されている。これにより、前記第２の凸部４５は、前記蓋部３’と接続された部分を支点として弾性変形可能な構造を有している。
【００５２】
第２の施形態の薄葉紙ディスペンサー１’における蓋部３’の回動に伴う、各部材の動作について説明する。前記蓋部３’を、図１６に示すような前記本体部２’の開口９を閉じた状態から、前記本体部２’の開口９を開くように回動させると、図１７に示すように、前記蓋部３’の第２の凸部４５が前記本体部２’の第１の凸部４２と当接することになる。これにより、前記蓋部３’の回動は一時的に停止され、前記開口９が少し開いた状態となる。前記蓋部３’を回動させると、前記傾斜面４３も共に回動しているが、前記本体部２’の突起４１は、前記蓋部３’の側面３３の内側の面と接しているだけで、図１７に示すように、前記傾斜面４３とは当接していない。
【００５３】
前記蓋部３’の停止を解除するために、図１７の状態から、前記蓋部３’に力を加えて回動させると、前記第２の凸部４５が、図１８に矢印で示す方向に、弾性変形する。その後、前記第２の凸部４５が弾性変形しながら前記第１の凸部４２と当接した状態で、乗り越えるように移動することになる。この時、前記蓋部３’の傾斜面４３の始点が、前記本体部２’の突起４１と当接し、その後、前記傾斜面４３の表面に前記本体部２’の突起４１が接触しながら、前記傾斜面４３の終点が前記突起４１に向かって移動することになる。
【００５４】
図１９に示すように、前記第２の凸部４５が弾性変形して前記第１の凸部４２を乗り越えると、前記第２の凸部４５の弾性変形は解除されて元の状態に戻る。その後、前記蓋部３’は力を加えなくても自重によって回動することになる。この時、前記傾斜面４３は、表面が前記突起４１と接触した状態で移動しているが、前記傾斜面４３の傾斜によって、前記蓋部３’の２つの側面３３に力が加えられて外側へと膨らむように変形する。
【００５５】
図１８から図２０へと、前記蓋部３’の傾斜面４３が、前記本体部２’の突起４１と接触しながら移動している時に、前記蓋部３’を回動させている力は、前記傾斜面４３を介して前記蓋部３’の側面３３を外側へと変形させる力に徐々に変換され、同時に、前記傾斜面４３と前記突起４１との摩擦力に変換されることになり、その結果、前記蓋部３’の回動速度は徐々に低下される。そして、図２０に示すように、前記蓋部３’の前面３１の下端が、前記本体部２’の底面７と当接して、前記蓋部３’の回動が停止される時には、前記蓋部３’の回動速度は、大幅に減速されており、前記蓋部３’と前記本体部２’との衝突による衝撃は大幅に低減されることになる。
【００５６】
このように、本発明の薄葉紙ディスペンサー１，１’は、本体部２，２’と蓋部３，３’に傾斜面と突起を設けることで、前記蓋部３，３’の回動速度を減速させることができ、また、第１の凸部と第２の凸部のいずれかを弾性変形可能な構造とすることで、蓋部３，３’の回動を一時停止させることができる。これにより、本発明の薄葉紙ディスペンサー１，１’は、耐久性が増加し、使い易さも向上させることができる。
【符号の説明】
【００５７】
１，１’    薄葉紙ディスペンサー
２，２’    本体部
３，３’    蓋部
４          前面
５          背面
６          上面
７          底面
８          側面
９          開口
１０        取出し口
１１        ヒンジ孔
１２，４３  傾斜面
１３，４４  凸部
１４，４２  第１の凸部
１５        スリット
１６        凹部
１７        円筒部
１８        嵌合部
１９        係合開口
２０        係合突起
２２        切り欠き
２３        リブ
２５        背面部
３１        前面
３２        上面
３３        側面
３４        ヒンジ軸
３５，４１  突起
３６，４５  第２の凸部
３７        フック
【図１】
2018020817.tif 000003
【図２】
2018020817.tif 000004
【図３】
2018020817.tif 000005
【図４】
2018020817.tif 000006
【図５】
2018020817.tif 000007
【図６】
2018020817.tif 000008
【図７】
2018020817.tif 000009
【図８】
2018020817.tif 000010
【図９】
2018020817.tif 000011
【図１０】
2018020817.tif 000012
【図１１】
2018020817.tif 000013
【図１２】
2018020817.tif 000014
【図１３】
2018020817.tif 000015
【図１４】
2018020817.tif 000016
【図１５】
2018020817.tif 000017
【図１６】
2018020817.tif 000018
【図１７】
2018020817.tif 000019
【図１８】
2018020817.tif 000020
【図１９】
2018020817.tif 000021
【図２０】
2018020817.tif 000022